(57)【要約】      （修正有）【課題】構成を簡略化することができる点火コイル装置を提供する。【解決手段】点火コイル１Ａは、第１外側面および第１外側面よりも幅方向Ａについて外側に設けられた第２外側面が形成された一次ボビン１０１と、第１外側面に巻かれたサブ一次コイル１０２と、第２外側面およびサブ一次コイル１０２の外側面に渡って巻かれたメイン一次コイル１０３とを備える。サブ一次コイル１０２は、密着巻となっており、一次ボビン１０１は、第１外側面が形成された第１ボビン部と、軸方向Ｂについて第１ボビン部に対して隣り合って設けられ、第２外側面が形成された第２ボビン部とを有している。【選択図】図２
2020194833.tif 000002
【特許請求の範囲】
【請求項１】
第１外側面および前記第１外側面よりも幅方向について外側に設けられた第２外側面が形成された一次ボビンと、
前記第１外側面に巻かれた第１一次コイルと、
前記第２外側面および前記第１一次コイルの外側面に渡って巻かれた第２一次コイルと
を備え、
前記第１一次コイルは、密着巻となっている点火コイル装置。
【請求項２】
前記一次ボビンは、
前記第１外側面が形成された第１ボビン部と、
軸方向について前記第１ボビン部に対して隣り合って設けられ、前記第２外側面が形成された第２ボビン部と
を有し、
前記幅方向についての前記第２ボビン部の寸法は、前記幅方向についての前記第１ボビン部の寸法よりも大きい請求項１に記載の点火コイル装置。
【請求項３】
前記一次ボビンよりも前記幅方向について内側に設けられたセンタ鉄心をさらに備え、
前記センタ鉄心は、
前記幅方向について前記第１外側面に対して隣り合う第１センタ鉄心部と、
前記幅方向について前記第２外側面に対して隣り合う第２センタ鉄心部と
を有し、
前記第２センタ鉄心部は、軸方向について前記第１センタ鉄心部に対して隣り合って設けられており、
前記幅方向についての前記第２センタ鉄心部の寸法は、前記幅方向についての前記第１センタ鉄心部の寸法よりも大きい請求項１に記載の点火コイル装置。
【請求項４】
前記センタ鉄心は、複数の電磁鋼板が積層されることによって構成されている請求項３に記載の点火コイル装置。
【請求項５】
前記第１一次コイルおよび前記第２一次コイルは、互いに同一方向に巻かれている請求項１から請求項４までの何れか一項に記載の点火コイル装置。
【請求項６】
前記第１一次コイルは、サブ一次コイルであり、
前記第２一次コイルは、メイン一次コイルである請求項１から請求項５までの何れか一項に記載の点火コイル装置。
【請求項７】
前記第１一次コイルは、１層となっている請求項１から請求項６までの何れか一項に記載の点火コイル装置。
【請求項８】
前記第２一次コイルは、偶数層となっている請求項１から請求項７までの何れか一項に記載の点火コイル装置。
【発明の詳細な説明】
【技術分野】
【０００１】
この発明は、点火コイル装置に関する。
【背景技術】
【０００２】
従来、一次ボビンと、メイン一次コイルと、絶縁シートと、サブ一次コイルとを備えた点火コイル装置が知られている。メイン一次コイルは、一次ボビンの外側面に設けられている。絶縁シートは、角筒形状に形成されており、メイン一次コイルの外側面に設けられている。サブ一次コイルは、絶縁シートの外側面に設けられている。サブ一次コイルが絶縁シートの外側面に設けられることによって、サブ一次コイルが安定して一次ボビンに対して固定されている（例えば、特許文献１参照）。
【先行技術文献】
【特許文献】
【０００３】
【特許文献１】国際公開第２０１７／００６４８７号
【発明の概要】
【発明が解決しようとする課題】
【０００４】
しかしながら、メイン一次コイルとサブ一次コイルとの間に絶縁シートが配置されている。これにより、点火コイル装置の部品点数が多くなってしまうという課題があった。
【０００５】
この発明は、上述のような課題を解決するためになされたものであり、その目的は、構成を簡略化することができる点火コイル装置を提供するものである。
【課題を解決するための手段】
【０００６】
この発明に係る点火コイル装置は、第１外側面および第１外側面よりも幅方向について外側に設けられた第２外側面が形成された一次ボビンと、第１外側面に巻かれた第１一次コイルと、第２外側面および第１一次コイルの外側面に渡って巻かれた第２一次コイルとを備え、第１一次コイルは、密着巻となっている。
【発明の効果】
【０００７】
この発明に係る点火コイル装置によれば、構成を簡略化することができる。
【図面の簡単な説明】
【０００８】
【図１】この発明の実施の形態１に係る点火コイル装置を示す平面図である。
【図２】図１の点火コイル装置を示す断面図である。
【図３】図２の一次ボビンを示す正面図である。
【図４】この発明の実施の形態２に係る点火コイル装置を示す断面図である。
【図５】図４の一次ボビンを示す正面図である。
【図６】図５の一次ボビンを示す平面図である。
【図７】図５の一次ボビンを示す底面図である。
【図８】図７の一次ボビンにサブ一次コイルが巻かれた状態を示す底面図である。
【図９】図４の一次ボビンの変形例を示す平面図である。
【図１０】図９の一次ボビンにサブ一次コイルおよびメイン一次コイルが巻かれた状態を示す断面図である。
【発明を実施するための形態】
【０００９】
実施の形態１．
図１は、この発明の実施の形態１に係る点火コイル装置を示す平面図である。図２は、図１の点火コイル装置を示す断面図である。この例では、内燃機関に取り付けられる点火コイル装置１Ａについて説明する。点火コイル装置１Ａは、図示しない点火プラグに電気エネルギーを供給する。点火コイル装置１Ａから電気エネルギーが供給された点火プラグでは、火花放電が発生する。なお、点火コイル装置１Ａは、内燃機関に限らず、その他の装置に取り付けられてもよい。
【００１０】
点火コイル装置１Ａは、一次ボビン１０１と、第１一次コイルであるサブ一次コイル１０２と、第２一次コイルであるメイン一次コイル１０３とを備えている。サブ一次コイル１０２およびメイン一次コイル１０３は、一次ボビン１０１に支持されている。サブ一次コイル１０２およびメイン一次コイル１０３から点火コイル装置１Ａの一次コイルが構成されている。
【００１１】
この例では、幅方向Ａは、一次ボビン１０１の軸線に対して垂直な方向であり、軸方向Ｂは、一次ボビン１０１の軸線に沿った方向である。メイン一次コイル１０３は、幅方向Ａについて、サブ一次コイル１０２よりも外側に配置されている。
【００１２】
サブ一次コイル１０２は、密着巻となっている。密着巻とは、コイルを構成する線部材が軸方向Ｂについて密着して巻かれることである。サブ一次コイル１０２は、１層となっている。メイン一次コイル１０３は、３層となっている。サブ一次コイル１０２の巻数は、メイン一次コイル１０３の巻数よりも小さくなっている。軸方向Ｂについてのサブ一次コイル１０２の寸法は、軸方向Ｂについてのメイン一次コイル１０３の寸法よりも小さくなっている。サブ一次コイル１０２およびメイン一次コイル１０３のそれぞれを構成する線部材は、導線と、導線の周囲に設けられた絶縁膜とを有している。
【００１３】
また、点火コイル装置１Ａは、二次ボビン１０４と、二次コイル１０５とを備えている。二次ボビン１０４は、幅方向Ａについて、一次ボビン１０１、サブ一次コイル１０２およびメイン一次コイル１０３に対して外側に配置されている。二次コイル１０５は、二次ボビン１０４に支持されている。二次コイル１０５の一端部には、点火プラグが電気的に接続されている。
【００１４】
また、点火コイル装置１Ａは、センタ鉄心１０６と、サイド鉄心１０７と、磁石１０８と、コアカバー１０９とを備えている。センタ鉄心１０６は、幅方向Ａについて、一次ボビン１０１に対して内側に配置されている。サイド鉄心１０７は、一次ボビン１０１、サブ一次コイル１０２、メイン一次コイル１０３、二次ボビン１０４および二次コイル１０５の全体を囲むように配置されている。また、サイド鉄心１０７には、センタ鉄心１０６の一端部が接続されている。磁石１０８は、センタ鉄心１０６の他端部とサイド鉄心１０７との間に配置されている。コアカバー１０９は、サイド鉄心１０７の周囲に配置されている。
【００１５】
サブ一次コイル１０２、メイン一次コイル１０３、センタ鉄心１０６、サイド鉄心１０７および磁石１０８が磁気的に結合することによって、二次コイル１０５には、点火プラグが火花放電するための電気エネルギーが発生する。
【００１６】
また、点火コイル装置１Ａは、サブＩＣ１１０と、メインＩＣ１１１と、接続用ターミナル１１２と、ケース１１３とを備えている。サブＩＣ１１０には、サブ一次コイル１０２の一端部が電気的に接続されている。サブＩＣ１１０は、サブ一次コイル１０２に供給される電流を制御する。言い換えれば、サブＩＣ１１０は、サブ一次コイル１０２への電流の供給およびサブ一次コイル１０２に供給される電流の停止を行う。
【００１７】
メインＩＣ１１１には、メイン一次コイル１０３の一端部が電気的に接続されている。メインＩＣ１１１は、メイン一次コイル１０３に供給される電流を制御する。言い換えれば、メインＩＣ１１１は、メイン一次コイル１０３への電流の供給およびメイン一次コイル１０３に供給される電流の停止を行う。
【００１８】
接続用ターミナル１１２には、サブ一次コイル１０２の他端部およびメイン一次コイル１０３の他端部が電気的に接続されている。また、接続用ターミナル１１２には、図示しないバッテリーが電気的に接続されている。したがって、接続用ターミナル１１２からサブ一次コイル１０２およびメイン一次コイル１０３に電流が供給される。
【００１９】
ケース１１３の内側には、一次ボビン１０１、サブ一次コイル１０２、メイン一次コイル１０３、二次ボビン１０４、二次コイル１０５、センタ鉄心１０６、サイド鉄心１０７、磁石１０８、コアカバー１０９、サブＩＣ１１０、メインＩＣ１１１および接続用ターミナル１１２が配置されている。ケース１１３の内側は、絶縁樹脂によってポッティングされている。
【００２０】
サブ一次コイル１０２およびメイン一次コイル１０３は、一次ボビン１０１の周方向について、互いに同一方向に巻かれている。サブ一次コイル１０２は、軸方向Ｂについて一方側から他方側に向かって一次ボビン１０１に巻かれている。したがって、サブ一次コイル１０２における巻き始め部分は、サブ一次コイル１０２における軸方向Ｂについて一方側端部、言い換えれば、図２において、サブ一次コイル１０２の左側端部となる。一方、サブ一次コイル１０２における巻き終わり部分は、サブ一次コイル１０２における軸方向Ｂについて他方側端部、言い換えれば、図２において、サブ一次コイル１０２の右側端部となる。サブ一次コイル１０２が一次ボビン１０１に巻かれた後に、サブ一次コイル１０２の他端部が接続用ターミナル１１２に接続される。
【００２１】
メイン一次コイル１０３における巻き始め部分は、メイン一次コイル１０３における軸方向Ｂについて他方側端部、言い換えれば、図２において、メイン一次コイル１０３の右側端部となる。サブ一次コイル１０２が一次ボビン１０１に巻かれた後に、連続して、メイン一次コイル１０３が一次ボビン１０１に巻かれる。メイン一次コイル１０３における巻き終わり部分は、メイン一次コイル１０３における軸方向Ｂについて一方側端部、言い換えれば、図２において、メイン一次コイル１０３の左側端部となる。
【００２２】
サブ一次コイル１０２の他端部およびメイン一次コイル１０３の他端部には、接続用ターミナル１１２を介して、バッテリーが電気的に接続されている。したがって、一次ボビン１０１の周方向について、サブ一次コイル１０２を流れる電流の方向と、メイン一次コイル１０３を流れる電流の方向とは、互いに異なる。また、メイン一次コイル１０３に電流が供給されることによって発生する磁束である通電磁束の方向と、サブ一次コイル１０２に電流が供給されることによって発生する磁束である重畳磁束の方向とは、互いに異なる。一方、メイン一次コイル１０３に流れる電流が停止されることによって発生する磁束である遮断磁束の方向と、サブ一次コイル１０２に電流が供給されることによって発生する重畳磁束の方向とは、互いに同一となる。
【００２３】
図３は、図２の一次ボビン１０１を示す正面図である。一次ボビン１０１は、第１ボビン部１１４と、軸方向Ｂについての第１ボビン部１１４の両端部に隣り合って設けられた一対の第２ボビン部１１５と、一対の第２ボビン部１１５のそれぞれに１個ずつ設けられた一対の鍔部１１６とを有している。第１ボビン部１１４は、軸方向Ｂについて、一対の第２ボビン部１１５に挟まれて配置されている。第１ボビン部１１４および一対の第２ボビン部１１５は、軸方向Ｂについて、一対の鍔部１１６に挟まれて配置されている。
【００２４】
第１ボビン部１１４は、角筒形状に形成されている。第１ボビン部１１４には、第１外側面１１７が形成されている。第２ボビン部１１５は、角筒形状に形成されている。第２ボビン部１１５には、第２外側面１１８が形成されている。第２外側面１１８は、幅方向Ａについて第１外側面１１７よりも外側に配置されている。
【００２５】
第１ボビン部１１４の内側面および第２ボビン部１１５の内側面は、軸方向Ｂについて視た場合に、互いに同一面上に配置されている。幅方向Ａについての第２ボビン部１１５の寸法は、幅方向Ａについての第１ボビン部１１４の寸法よりも大きくなっている。言い換えれば、第２ボビン部１１５は、第１ボビン部１１４よりも肉厚方向の寸法が大きく形成されている。
【００２６】
第１外側面１１７には、サブ一次コイル１０２が巻かれている。第１外側面１１７と、一対の第２ボビン部１１５における軸方向Ｂについて互いに対向する面とによって区切られる領域をサブ一次コイル配置領域１１９とする。サブ一次コイル配置領域１１９には、サブ一次コイル１０２が配置される。軸方向Ｂについて一対の第２ボビン部１１５の間にサブ一次コイル１０２が挟まれることによって、軸方向Ｂについてのサブ一次コイル１０２の移動が制限されている。サブ一次コイル１０２が密着巻となっており、軸方向Ｂについてのサブ一次コイル１０２の移動が制限されていることによって、サブ一次コイル１０２が一次ボビン１０１に対して固定されている。
【００２７】
第２外側面１１８およびサブ一次コイル１０２の外側面に渡って、メイン一次コイル１０３が巻かれている。サブ一次コイル１０２の外側面とは、軸方向Ｂについてサブ一次コイル１０２を視た場合におけるサブ一次コイル１０２の外側面である。
【００２８】
第２外側面１１８と、サブ一次コイル１０２の外側面と、一対の鍔部１１６における軸方向Ｂについて互いに対向する面とによって区切られる領域をメイン一次コイル配置領域１２０とする。メイン一次コイル配置領域１２０には、メイン一次コイル１０３が配置されている。第２外側面１１８およびサブ一次コイル１０２の外側面は、軸方向Ｂについて視た場合に、互いに同一面上に配置されている。言い換えれば、第２外側面１１８およびサブ一次コイル１０２の外側面のそれぞれについて、一次ボビン１０１の軸線からの幅方向Ａについての位置は、互いに同一となっている。これにより、メイン一次コイル１０３は、サブ一次コイル１０２の外側面および第２外側面１１８に対して安定して巻かれる。また、サブ一次コイル１０２が１層となっている。これにより、メイン一次コイル１０３は、サブ一次コイル１０２に対して安定して巻かれる。
【００２９】
次に、点火コイル装置１Ａの動作について説明する。まず、メインＩＣ１１１による制御によって、メイン一次コイル１０３に電流が供給される。これにより、メイン一次コイル１０３の周囲には、通電磁束が発生する。その後、メインＩＣ１１１による制御によって、メイン一次コイル１０３への電流の供給が停止される。これにより、メイン一次コイル１０３の周囲には、遮断磁束が発生する。その結果、二次コイル１０５には、起電力が発生する。二次コイル１０５に起電力が発生することによって、二次コイル１０５には、二次電流が流れる。
【００３０】
その後、サブＩＣ１１０による制御によって、サブ一次コイル１０２に電流が供給される。これにより、サブ一次コイル１０２の周囲には、重畳磁束が発生する。重畳磁束の方向は、遮断磁束の方向と同一となっている。したがって、二次コイル１０５に発生する起電力が増加する。二次コイル１０５に発生する起電力が増加することによって、二次コイル１０５に流れる二次電流が増加する。その結果、点火プラグには、大きな電気エネルギーが供給される。
【００３１】
以上説明したように、この発明の実施の形態１に係る点火コイル装置１Ａによれば、一次ボビン１０１の第１外側面１１７に巻かれたサブ一次コイル１０２は、密着巻となっている。これにより、サブ一次コイル１０２を構成する線部材の間にメイン一次コイル１０３が入り込むことが抑制される。したがって、サブ一次コイル１０２の外側面にメイン一次コイル１０３が安定して巻かれる。これにより、サブ一次コイル１０２とメイン一次コイル１０３との間には、絶縁シートを配置する必要がなくなる。その結果、点火コイル装置１Ａの構成を簡略化することができる。
【００３２】
また、第１外側面１１７にサブ一次コイル１０２が巻かれ、第２外側面１１８およびサブ一次コイル１０２の外側面に渡ってメイン一次コイル１０３が巻かれている。軸方向Ｂについてのサブ一次コイル１０２の寸法を軸方向Ｂについてのメイン一次コイル１０３の寸法よりも小さい場合に、メイン一次コイル１０３を一次ボビン１０１に安定して巻くことができる。
【００３３】
また、一次ボビン１０１は、第１外側面１１７が形成された第１ボビン部１１４と、第２外側面１１８が形成された第２ボビン部１１５とを有している。幅方向Ａについての第２ボビン部１１５の寸法は、幅方向Ａについての第１ボビン部１１４の寸法よりも大きい。これにより、一次ボビン１０１を容易に形成することができるとともに、軸方向Ｂについてのサブ一次コイル１０２の移動を制限することができる。
【００３４】
また、サブ一次コイル１０２およびメイン一次コイル１０３は、互いに同一方向に巻かれている。これにより、サブ一次コイル１０２が第１ボビン部１１４に巻かれた後、連続して、メイン一次コイル１０３が第２ボビン部１１５およびサブ一次コイル１０２に巻かれる。したがって、点火コイル装置１Ａの加工工数を低減させることができる。したがって、点火コイル装置１Ａの製造効率を向上させることができる。
【００３５】
実施の形態２．
図４は、この発明の実施の形態２に係る点火コイル装置を示す断面図である。点火コイル装置１Ｂでは、軸方向Ｂについて、サブ一次コイル１０２およびメイン一次コイル１０３とサブＩＣ１１０およびメインＩＣ１１１とが互いに隣り合うように配置されている。サブ一次コイル１０２は、２層となっている。メイン一次コイル１０３は、４層となっている。
【００３６】
点火コイル装置１Ｂは、１個の第２ボビン部１１５を有している。第２ボビン部１１５は、第１ボビン部１１４に対して、軸方向Ｂについて一方に隣り合って設けられている。具体的には、第２ボビン部１１５は、第１ボビン部１１４に対して、軸方向ＢについてサブＩＣ１１０およびメインＩＣ１１１の近くに配置されている。
【００３７】
センタ鉄心１０６は、幅方向Ａについて第１外側面１１７に対して隣り合う第１センタ鉄心部１２１と、幅方向Ａについて第２外側面１１８に対して隣り合う第２センタ鉄心部１２２とを有している。
【００３８】
第２センタ鉄心部１２２は、第１センタ鉄心部１２１に対して、軸方向Ｂについて一方に隣り合って設けられている。具体的には、第２センタ鉄心部１２２は、第１センタ鉄心部１２１に対して、軸方向ＢについてサブＩＣ１１０およびメインＩＣ１１１の近くに配置されている。幅方向Ａについての第２センタ鉄心部１２２の寸法は、幅方向Ａについての第１センタ鉄心部１２１の寸法よりも大きくなっている。センタ鉄心１０６は、複数の電磁鋼板が積層されることによって構成されている。
【００３９】
サブ一次コイル１０２における巻き始め部分は、サブ一次コイル１０２における軸方向Ｂについての一方側端部となる。具体的には、サブ一次コイル１０２における巻き始め部分は、軸方向Ｂについて、サブ一次コイル１０２におけるサブＩＣ１１０の近くの部分となる。一方、サブ一次コイル１０２における巻き終わり部分は、サブ一次コイル１０２における軸方向Ｂについて一方側端部となる。つまり、サブ一次コイル１０２における巻き始め部分および巻き終わり部分は、サブ一次コイル１０２における軸方向Ｂについて同一側端部となる。これにより、サブ一次コイル１０２とサブＩＣ１１０との間の配線を容易にすることができる。
【００４０】
メイン一次コイル１０３における巻き始め部分は、メイン一次コイル１０３における軸方向Ｂについて一方側端部となる。具体的には、メイン一次コイル１０３における巻き始め部分は、軸方向Ｂについて、メイン一次コイル１０３におけるメインＩＣ１１１の近くの部分となる。一方、メイン一次コイル１０３における巻き終わり部分は、メイン一次コイル１０３における軸方向Ｂについて一方側端部となる。つまり、メイン一次コイル１０３における巻き始め部分および巻き終わり部分は、メイン一次コイル１０３における軸方向Ｂについて同一側端部となる。これにより、メイン一次コイル１０３とメインＩＣ１１１との間の配線を容易にすることができる。
【００４１】
サブ一次コイル１０２およびメイン一次コイル１０３のそれぞれが偶数層である場合には、サブ一次コイル１０２およびメイン一次コイル１０３におけるそれぞれの巻き始め部分および巻き終わり部分は、サブ一次コイル１０２およびメイン一次コイル１０３のそれぞれにおける軸方向Ｂについて同一側部分となる。これにより、点火コイル装置１Ｂにおける軸方向Ｂの向きが自由に設定される。
【００４２】
図５は、図４の一次ボビン１０１を示す正面図である。図６は、図５の一次ボビン１０１を示す平面図である。図７は、図５の一次ボビン１０１を示す底面図である。図８は、図７の一次ボビン１０１にサブ一次コイル１０２が巻かれた状態を示す底面図である。一対の鍔部１１６のうちのサブＩＣ１１０およびメインＩＣ１１１の近くに配置された鍔部１１６を第１鍔部１１６Ａとする。
【００４３】
第２外側面１１８および第１鍔部１１６Ａには、サブ一次コイル１０２の両端部が挿入される一対の第１一次コイル挿入溝であるサブ一次コイル挿入溝１２３が形成されている。サブ一次コイル１０２の両端部がサブ一次コイル挿入溝１２３に挿入されることによって、サブ一次コイル１０２の外側面にメイン一次コイル１０３を巻く場合に、メイン一次コイル１０３が巻かれる領域にサブ一次コイル１０２の両端部が配置されることが防止される。
【００４４】
第１鍔部１１６Ａには、メイン一次コイル１０３の両端部が挿入される一対の第２一次コイル挿入溝であるメイン一次コイル挿入溝１２４が形成されている。メイン一次コイル１０３の両端部がメイン一次コイル挿入溝１２４に挿入されることによって、メイン一次コイル１０３を一次ボビン１０１に巻く場合に、メイン一次コイル１０３とメインＩＣ１１１とを繋ぐ配線を容易に配置することができる。その他の構成は、実施の形態１と同様である。
【００４５】
以上説明したように、この発明の実施の形態２に係る点火コイル装置１Ｂによれば、一次ボビン１０１よりも幅方向Ａについて内側に設けられたセンタ鉄心１０６をさらに備えている。センタ鉄心１０６は、幅方向Ａについて第１外側面１１７に対して隣り合う第１センタ鉄心部１２１と、幅方向Ａについて第２外側面１１８に対して隣り合う第２センタ鉄心部１２２とを有している。第２センタ鉄心部１２２は、軸方向Ｂについて第１センタ鉄心部１２１に対して隣り合って設けられている。幅方向Ａについての第２センタ鉄心部１２２の寸法は、幅方向Ａについての第１センタ鉄心部１２１の寸法よりも大きい。これにより、一次ボビン１０１における内側の領域におけるセンタ鉄心１０６が占める領域を大きくすることができる。したがって、センタ鉄心１０６を大型化することができる。その結果、点火コイル装置１Ｂの高出力化を図ることができる。
【００４６】
また、センタ鉄心１０６は、複数の電磁鋼板が積層されることによって構成されている。これにより、第１センタ鉄心部１２１および第２センタ鉄心部１２２をプレス加工によって形成することができる。その結果、センタ鉄心１０６を容易に製造することができる。
【００４７】
また、サブ一次コイル１０２が２層となっている。これにより、サブ一次コイル１０２における巻き始め部分および巻き終わり部分を、サブ一次コイル１０２における軸方向Ｂについて同一側部分とすることができる。その結果、点火コイル装置１Ｂにおける軸方向Ｂの向きが自由に設定される。
【００４８】
また、メイン一次コイル１０３が４層となっている。これにより、メイン一次コイル１０３における巻き始め部分および巻き終わり部分を、メイン一次コイル１０３における軸方向Ｂについて同一側部分とすることができる。その結果、点火コイル装置１Ｂにおける軸方向Ｂの向きが自由に設定される。
【００４９】
なお、実施の形態２では、サブ一次コイル１０２が２層となっている構成について説明した。しかしながら、サブ一次コイル１０２が奇数層となっている構成であってもよい。この場合に、図９および図１０に示すように、第１ボビン部１１４、第２ボビン部１１５および鍔部１１６には、サブ一次コイル１０２の端部が挿入されるサブ一次コイル挿入溝１２５が形成されてもよい。この場合に、サブ一次コイル１０２の端部をサブ一次コイル挿入溝１２５に挿入し、その後、一次ボビン１０１にサブ一次コイル１０２が巻かれる。これにより、サブ一次コイル１０２における巻き始め部分と、サブ一次コイル１０２における巻き終わり部分とは、サブ一次コイル１０２における軸方向Ｂについて同一側部分とすることができる。
【００５０】
また、実施の形態２では、メイン一次コイル１０３が４層となっている構成について説明した。しかしながら、メイン一次コイル１０３が４層以外の偶数層となっている構成であってもよい。
【００５１】
また、実施の形態２では、複数の電磁鋼板が積層されて構成されたセンタ鉄心１０６について説明した。しかしながら、例えば、焼結鉄心から構成されたセンタ鉄心１０６であってもよい。
【００５２】
また、実施の形態２では、軸方向Ｂについて、第１センタ鉄心部１２１よりもサブＩＣ１１０およびメインＩＣ１１１の近くに第２センタ鉄心部１２２が配置されたセンタ鉄心１０６の構成について説明した。しかしながら、軸方向Ｂについて、第１センタ鉄心部１２１を挟むように一対の第２センタ鉄心部１２２が配置されたセンタ鉄心１０６の構成であってもよい。また、軸方向Ｂについて、第１センタ鉄心部１２１よりもサブＩＣ１１０およびメインＩＣ１１１から離れて第２センタ鉄心部１２２が配置されたセンタ鉄心１０６の構成であってもよい。
【００５３】
また、各実施の形態では、サブ一次コイル１０２およびメイン一次コイル１０３が、一次ボビン１０１の周方向について、互いに同一方向に巻かれた構成について説明した。しかしながら、サブ一次コイル１０２およびメイン一次コイル１０３が、一次ボビン１０１の周方向について、互いに異なる方向に巻かれた構成であってもよい。この場合に、サブ一次コイル１０２を流れる電流の方向とメイン一次コイル１０３を流れる電流の方向とが互いに異なるように、サブ一次コイル１０２およびメイン一次コイル１０３を接続用ターミナル１１２に接続する。
【００５４】
また、各実施の形態では、第１一次コイルがサブ一次コイル１０２であり、第２一次コイルがメイン一次コイル１０３である構成について説明した。言い換えれば、各実施の形態では、第１外側面１１７にサブ一次コイル１０２が巻かれ、第２外側面１１８およびサブ一次コイル１０２の外側面に渡ってメイン一次コイル１０３が巻かれた構成について説明した。しかしながら、第１外側面１１７にメイン一次コイル１０３が巻かれ、第２外側面１１８およびメイン一次コイル１０３の外側面に渡ってサブ一次コイル１０２が巻かれた構成であってもよい。言い換えれば、第１一次コイルがメイン一次コイル１０３であり、第２一次コイルがサブ一次コイル１０２である構成であってもよい。
【符号の説明】
【００５５】
１Ａ、１Ｂ  点火コイル装置、１０１  一次ボビン、１０２  サブ一次コイル、１０３  メイン一次コイル、１０４  二次ボビン、１０５  二次コイル、１０６  センタ鉄心、１０７  サイド鉄心、１０８  磁石、１０９  コアカバー、１１０  サブＩＣ、１１１  メインＩＣ、１１２  接続用ターミナル、１１３  ケース、１１４  第１ボビン部、１１５  第２ボビン部、１１６  鍔部、１１６Ａ  第１鍔部、１１７  第１外側面、１１８  第２外側面、１１９  サブ一次コイル配置領域、１２０  メイン一次コイル配置領域、１２１  第１センタ鉄心部、１２２  第２センタ鉄心部、１２３  サブ一次コイル挿入溝、１２４  メイン一次コイル挿入溝、１２５  サブ一次コイル挿入溝。
【図１】
2020194833.tif 000003
【図２】
2020194833.tif 000004
【図３】
2020194833.tif 000005
【図４】
2020194833.tif 000006
【図５】
2020194833.tif 000007
【図６】
2020194833.tif 000008
【図７】
2020194833.tif 000009
【図８】
2020194833.tif 000010
【図９】
2020194833.tif 000011
【図１０】
2020194833.tif 000012
【手続補正書】
【提出日】令和2年4月20日(2020.4.20)
【手続補正１】
【補正対象書類名】明細書
【補正対象項目名】０００６
【補正方法】変更
【補正の内容】
【０００６】
この発明に係る点火コイル装置は、第１外側面および第１外側面よりも幅方向について外側に設けられた第２外側面が形成された一次ボビンと、第１外側面に巻かれた第１一次コイルと、第２外側面および第１一次コイルの外側面に渡って巻かれた第２一次コイルとを備え、第１一次コイルは、密着巻となっており、第１一次コイルに供給される電流および第２一次コイルに供給される電流のそれぞれは、互いに異なる。
【手続補正２】
【補正対象書類名】特許請求の範囲
【補正対象項目名】全文
【補正方法】変更
【補正の内容】
【特許請求の範囲】
【請求項１】
第１外側面および前記第１外側面よりも幅方向について外側に設けられた第２外側面が形成された一次ボビンと、
前記第１外側面に巻かれた第１一次コイルと、
前記第２外側面および前記第１一次コイルの外側面に渡って巻かれた第２一次コイルと
を備え、
前記第１一次コイルは、密着巻となっており、
前記第１一次コイルに供給される電流および前記第２一次コイルに供給される電流のそれぞれは、互いに異なる点火コイル装置。
【請求項２】
前記一次ボビンは、
前記第１外側面が形成された第１ボビン部と、
軸方向について前記第１ボビン部に対して隣り合って設けられ、前記第２外側面が形成された第２ボビン部と
を有し、
前記幅方向についての前記第２ボビン部の寸法は、前記幅方向についての前記第１ボビン部の寸法よりも大きい請求項１に記載の点火コイル装置。
【請求項３】
前記一次ボビンよりも前記幅方向について内側に設けられたセンタ鉄心をさらに備え、
前記センタ鉄心は、
前記幅方向について前記第１外側面に対して隣り合う第１センタ鉄心部と、
前記幅方向について前記第２外側面に対して隣り合う第２センタ鉄心部と
を有し、
前記第２センタ鉄心部は、軸方向について前記第１センタ鉄心部に対して隣り合って設けられており、
前記幅方向についての前記第２センタ鉄心部の寸法は、前記幅方向についての前記第１センタ鉄心部の寸法よりも大きい請求項１に記載の点火コイル装置。
【請求項４】
前記センタ鉄心は、複数の電磁鋼板が積層されることによって構成されている請求項３に記載の点火コイル装置。
【請求項５】
前記第１一次コイルおよび前記第２一次コイルは、互いに同一方向に巻かれている請求項１から請求項４までの何れか一項に記載の点火コイル装置。
【請求項６】
前記第１一次コイルは、サブ一次コイルであり、
前記第２一次コイルは、メイン一次コイルである請求項１から請求項５までの何れか一項に記載の点火コイル装置。
【請求項７】
前記第１一次コイルは、１層となっている請求項１から請求項６までの何れか一項に記載の点火コイル装置。
【請求項８】
前記第２一次コイルは、偶数層となっている請求項１から請求項７までの何れか一項に記載の点火コイル装置。